(57)【要約】【課題】携帯電子機器に装着することなく、その蓄電量を確認することができるカード型バッテリ装置を提供する。また、利用者が、その蓄電量に応じて選択することが可能となるカード型バッテリ装置を提供する。【解決手段】カード型バッテリ１８の表面に、カード型バッテリ１８の蓄電量を表示する表示部２３が設けられ、この表示部２３は外部信号が印加されることにより表示部２３への書込みおよび書換えが可能であるようにした。【選択図】図２
2007227213.tif 000002
【特許請求の範囲】
【請求項１】
電子機器に着脱可能に取り付けられるカード型バッテリ装置本体の表面に、前記カード型バッテリ装置本体の蓄電量を表示する表示部が設けられ、外部信号が印加されることにより前記表示部への書込みおよび書換えが可能であることを特徴とするカード型バッテリ装置。
【請求項２】
前記表示部の蓄電量は、前記カード型バッテリ装置本体の蓄電量に対応した色彩を用いて表示されることを特徴とする請求項１に記載のカード型バッテリ装置。
【請求項３】
前記表示部の蓄電量の表示は、前記カード型バッテリ装置本体が前記電子機器から脱着した状態においても維持されることを特徴とする請求項１または請求項２に記載のカード型バッテリ装置。
【請求項４】
請求項１乃至請求項３の何れか一項に記載のカード型バッテリ装置を着脱可能に装着するスロット部を備えた電子機器であって、前記スロット部は、前記カード型バッテリ装置の前記表示部を露出するように保持することを特徴とする電子機器。
【請求項５】
請求項１乃至請求項３の何れか一項に記載のカード型バッテリ装置を着脱可能に装着するスロット部を備えた電子機器であって、前記電子機器には、前記スロット部に装着された前記カード型バッテリ装置の前記表示部を露出する窓部が設けられることを特徴とする電子機器。    
【請求項６】
前記カード型バッテリ装置本体の蓄電量を検出する検出部と、前記検出部の検出結果に基いて、前記表示部の蓄電量の表示の書込みおよび書換えを行う書換え部が設けられたことを特徴とする請求項４または請求項５に記載の電子機器。
【請求項７】
前記書換え部は、前記表示部に対する書換えを一定時間毎に行うことを特徴とする請求項６に記載の電子機器。
【請求項８】
前記カード型バッテリ装置から供給される電力により駆動されることを特徴とする請求項４乃至請求項７の何れか一項に記載の電子機器。
【請求項９】
前記カード型バッテリ装置を充電する充電部が設けられたことを特徴とする請求項４乃至請求項７の何れか一項に記載の電子機器。
【発明の詳細な説明】
【技術分野】
【０００１】
この発明は、蓄電量を表示する表示部が設けられたカード型バッテリ装置に関するものである。
【背景技術】
【０００２】
従来から、パーソナルコンピュータ、ＰＤＡ、カメラ、携帯電話機等のバッテリ駆動可能な様々な携帯電子機器が知られている。携帯電子機器に内蔵されるバッテリには、そのバッテリの蓄電容量の増大が望まれている。しかし、これら携帯電子機器においては、その小型化、軽量化および薄型化を図るためにバッテリの実装スペースに制約があり、したがって、大型のバッテリを内蔵することは実際上困難である。
このため、携帯電子機器に装着して使用可能なカード型バッテリ装置を用いることで、バッテリの増設を可能とする技術が提案されている（例えば、特許文献１参照）。
【特許文献１】特開２００３−２７２５８２号公報
【発明の開示】
【発明が解決しようとする課題】
【０００３】
ところで、近年では、携帯電子機器の性能の向上が著しく、それに伴って、バッテリの消費量が増大している。このため、今後、バッテリ容量増加の必要性がさらに重要になっていくことが考えられる。例えば、利用者が複数個のバッテリを所持し、これらを携帯電子機器に入れ換えて使用することで、携帯電子機器の長時間のバッテリ駆動を実現するようになっていくと推測される。
この場合、従来技術では、各カード型バッテリ装置が充放電された際、その蓄電量を知るためには、利用者が携帯電子機器にカード型バッテリ装置を装着し、電子機器に備えている表示部に表示される蓄電量によって確認しなければならない。このため、カード型バッテリ装置単体では、その蓄電量が確認できないという課題がある。  
【０００４】
そこで、本発明は、上述した問題点に鑑みてなされたものであり、携帯電子機器に装着することなく、その蓄電量を確認することができるカード型バッテリ装置を提供するものである。また、利用者が、その蓄電量に応じて選択することが可能となるカード型バッテリ装置を提供するものである。
【課題を解決するための手段】
【０００５】
上記の課題を解決するために、本発明は、電子機器に着脱可能に取り付けられるカード型バッテリ装置本体の表面に、前記カード型バッテリ装置本体の蓄電量を表示する表示部が設けられ、外部信号が印加されることにより前記表示部への書込みおよび書換えが可能であることを特徴とする。
【０００６】
また、本発明は、前記表示部の蓄電量は、前記カード型バッテリ装置本体の蓄電量に対応した色彩を用いて表示されることを特徴とする。
【０００７】
さらに、本発明は、前記表示部の蓄電量の表示は、前記カード型バッテリ装置本体が前記電子機器から脱着した状態においても維持されることを特徴とする。
【０００８】
また、本発明は、請求項１乃至請求項３の何れか一項に記載のカード型バッテリ装置を着脱可能に装着するスロット部を備えた電子機器であって、前記スロット部は、前記カード型バッテリ装置の前記表示部を露出するように保持することを特徴とする電子機器。
【０００９】
さらに、本発明は、請求項１乃至請求項３の何れか一項に記載のカード型バッテリ装置を着脱可能に装着するスロット部を備えた電子機器であって、前記電子機器には、前記スロット部に装着された前記カード型バッテリ装置の前記表示部を露出する窓部が設けられることを特徴とする電子機器。
【００１０】
また、本発明は、前記カード型バッテリ装置本体の蓄電量を検出する検出部と、前記検出部の検出結果に基いて、前記表示部の蓄電量の表示の書込みおよび書換えを行う書換え部が設けられたことを特徴とする。
【００１１】
さらに、本発明は、前記書換え部は、前記表示部に対する書換えを一定時間毎に行うことを特徴とする。
【００１２】
また、本発明は、前記カード型バッテリ装置から供給される電力により駆動されることを特徴とする。
【００１３】
さらに、本発明は、前記カード型バッテリ装置を充電する充電部が設けられたことを特徴とする。
【発明の効果】
【００１４】
本発明によれば、カード型バッテリ装置本体の表面に、その蓄電量を表示する表示部が設けられているため、カード型バッテリ装置を電子機器に装着することなく、その蓄電量を確認することができる。
特に、その表示部の蓄電量の表示は、カード型バッテリ装置本体が電子機器から脱着した状態においても維持されるため、バッテリを消費することなく、カード型バッテリ装置単体で確認することができる。
また、利用者が、カード型バッテリ装置の蓄電量に応じて電子機器に装着するカード型バッテリ装置を選択することが可能となる。
【発明を実施するための最良の形態】
【００１５】
次に、本発明の実施形態を図面に基いて説明する。
図１は、本発明に係るカード型バッテリ装置が適用される携帯電話機を示す斜視図である。
図１に示すように、携帯電話機１は、第一筐体２と、この第一筐体２の厚さ方向に重ね合わせ可能な第二筐体３と、これら二つの筐体２，３を相互に折り畳み自在に連結するヒンジ部５と、を備えている。ヒンジ部５は、二つの筐体２，３の各基端部４ａ，４ｂ同士を連結するように配置されている。  
【００１６】
第二筐体３の内部には、各種情報を表示する表示領域６を有するＬＣＤ（ＬＣＤ：Ｌｉｑｕｉｄ  Ｃｒｙｓｔａｌ  Ｄｉｓｐｌａｙ）あるいはＥＬ（ＥＬ：Ｅｌｅｃｔｒｏ  Ｌｕｍｉｎｅｓｃｅｎｃｅ）ディスプレイ等からなる表示部７、および、通話用のスピーカ８が設けられている。表示部７の表示領域６は、二つの筐体２，３を相互に重ね合わせた状態において、第一筐体２に対向する第二筐体３の表面側に露出している。
【００１７】
表示領域６には、表示領域６の上下方向略中央であって、表示領域６の大部分を占める主要表示領域９と、表示領域６の上端の領域に配置されたアイコン表示領域１０等がある。
主要表示領域９には、各種画像や各種文字情報が表示される。文字情報としては、例えば、日付、時刻、通話相手の名前、電話番号、電子メール等がある。
アイコン表示領域１０には、バッテリの蓄電量を示す蓄電量アイコン１１や電波状態を示す電波状態アイコン１２などが表示されている。
【００１８】
通話用のスピーカ８は、基端部４ｂとは反対側に位置する第二筐体３の先端に配置されており、第二筐体３の表面から第二筐体３の内部空間に貫通する開口部８ａを介して外方に露出している。
【００１９】
第一筐体２の内部には、テンキー１３やカーソルキー１４あるいはファンクションキー１５等の複数の操作キーを備えたキー操作部２４、および、通話用のマイクロフォン１６が設けられている。キー操作部２４は、二つの筐体２，３を相互に重ね合わせた状態において、第二筐体３に対向する第一筐体２の表面から外方に露出している。
マイクロフォン１６は、基端部４ａとは反対側に位置する第一筐体２の先端部に配置されており、第一筐体２の表面から第一筐体２の内部空間に貫通する開口部１６ａを介して外方に露出している。
【００２０】
第一筐体２の複数の操作キー１３，１４，１５が露出している表面とは反対側の裏面には、電源としての内部バッテリ１７が着脱可能に設けられている。また、この内部バッテリ１７を覆うようにカバー３５が設けられている。
さらに、第一筐体２の一側面であって、基端部４ａ寄りに、カード型バッテリ１８を着脱自在に装着可能なスロット部１９，１９が二箇所設けられている。
カード型バッテリ１８は、携帯電話機１に必要に応じて装着される増設用のバッテリである。
スロット部１９，１９は、カード型バッテリ１８全体を携帯電話機１の内部に収納する大きさを有している。
ここで、上述した第二筐体３の表示領域６に配置されたアイコン表示領域１０の蓄電量アイコン１１は、これら内部バッテリ１７やカード型バッテリ１８の蓄電量に対応してそれぞれ表示されるようになっている。
【００２１】
図２に詳示するように、カード型バッテリ１８のカード型バッテリ本体２０内には、バッテリ２１が内蔵されている。また、カード型バッテリ本体２０の差込み側の裏面には二つの端子２２ａ，２２ｂが設けられている。バッテリ２１は、カード型バッテリ１８が携帯電話機１に装着された場合に、スロット部１９，１９の内部に設けられたコネクタ（不図示）と、端子２２ａ，２２ｂとが接続され、これらを介して携帯電話機１に給電を行ったり、内部バッテリ１７を充電したりする。
【００２２】
カード型バッテリ本体２０の表面であって、端子２２ａ，２２ｂとは反対側には、表示部２３が設けられている。表示部２３には、そのカード型バッテリ本体２０の蓄電量を示す蓄電量アイコン３３が表示されている。尚、表示部２３は裏面に設けたり、両面に設けたりしてもよい。
表示部２３は、外部信号が印加されて熱、電界、磁界等を使用して可視情報を可逆的にくり返し書換えできる表示素子からなる。例えば、加熱冷却によって、透明状態と白濁状態とに可逆的に変化することで書換え表示できる感熱記録方式の可逆表示素子が使用される。
また、電界と加熱により、書換え表示できる電気・熱記録方式の可逆表示素子や磁場に感応する磁性粉をマイクロカプセル中に含有した磁気記録方式の可逆表示素子等が使用される。
尚、可逆表示素子で感熱記録方式には、脂肪酸を高分子マトリックス中に分散した高分子／脂肪酸複合膜等を、電気・熱記録方式には、液晶を高分子マトリックス中に分散した液晶／高分子複合膜等を利用したものがある。
【００２３】
図３は、携帯電話機１の機能を示すブロック図である。
図３に示すように、携帯電話機１は、スピーカ８、マイクロフォン１６、キー操作部２４、アンテナ２５、無線通信部２６、バッテリ制御部２７、書換え部２８、および、これらを統括的に制御するＣＰＵ２９等を有している。
ここで、無線通信部２６は、アンテナ２５を介して他の携帯電話機等との間で通話を行ったり、インターネット網を介して各種サーバと接続して電子メールやホームページ等の各種情報を送受信したりするものである。
【００２４】
バッテリ制御部２７は、内部バッテリ１７、カード型バッテリ１８、および、携帯電話機１に着脱自在に装着可能な携帯電話機用充電器３０の充電および放電等を制御するものである。
具体的には、例えば、携帯電話機１が携帯電話機用充電器３０に装着されている場合、携帯電話機用充電器３０が携帯電話機１に給電を行うと共に、携帯電話機１の使用頻度に応じて内部バッテリ１７やカード型バッテリ１８の充電を行う。また、携帯電話機１が携帯電話機用充電器３０から脱着されている場合、内部バッテリ１７が携帯電話機１に給電を行う。
【００２５】
さらに、カード型バッテリ１８が携帯電話機１に装着されている場合、カード型バッテリ１８が内部バッテリ１７より優先的に携帯電話機１に給電を行い、携帯電話機１の使用頻度に応じて内部バッテリ１７にも給電を行う。この際、携帯電話機１は、携帯電話機用充電器３０から脱着している。
つまり、カード型バッテリ１８が装着されている場合には、カード型バッテリ１８から放電が開始され、カード型バッテリ１８の蓄電量が無くなると、内部バッテリ１７の放電が開始される。ここで、内部バッテリ１７は、常に携帯電話機１に装着されている。
【００２６】
また、バッテリ制御部２７は、バッテリ蓄電量検出部３１を有している。
上述した制御は、このバッテリ蓄電量検出部３１を介して行われる。バッテリ蓄電量検出部３１は、内部バッテリ１７やカード型バッテリ１８の蓄電量を検出するためのものである。
バッテリ蓄電量検出部３１は、これによって検出された内部バッテリ１７やカード型バッテリ１８の蓄電量の値を示すデータをＣＰＵ２９に送信する。そして、ＣＰＵ２９は、このデータに基いて表示部７のアイコン表示領域１０に、それぞれの蓄電量アイコン１１を表示する。
【００２７】
また、ＣＰＵ２９は、各蓄電量のうち、カード型バッテリ１８の蓄電量の値を示すデータを書換え部２８へ送信する。書換え部２８は、ＣＰＵ２９からのデータに基いてカード型バッテリ１８の表示部２３に蓄電量アイコン３３を書込んだり、書換えしたりするものである。
【００２８】
尚、書換え部２８は、カード型バッテリ１８の表示部２３に使用する可逆表示素子のタイプにより、熱、電界、磁界等のエネルギーを可逆素子に対して加えるエネルギー印加手段を有する。
例えば、熱の場合はサーマルヘッド等で、電界の場合はマトリックス電極やローラ電極等で、磁界の場合は磁気ヘッド等を備えたものとなる。
【００２９】
また、カード型バッテリ１８の表示部２３への書込み、書換え作業は、その蓄電量に対応した色彩を予め設定しておくことで、蓄電量に対応した色彩で表示部２３への書込み、書換えを行うものである。例えば、蓄電量がｆｕｌｌ状態からｅｍｐｔｙ状態になるに従って、蓄電量アイコン３３の色彩が青色から黄色、そして、赤色へと変化する。
【００３０】
このようなカード型バッテリ１８の表示部２３への書込み、書換え作業は、カード型バッテリ１８を携帯電話機１から脱着する際に行われる。このようにすることで、携帯電話機１から脱着された時点でのカード型バッテリ１８の蓄電量が確認できるようになっている。
尚、蓄電量アイコン３３は、携帯電話機１から脱着した場合であっても、上述したように外部からのエネルギーが加わらない限り、脱着時点の蓄電量アイコン３３が表示されたままの状態となっている。
【００３１】
次に、本発明に係るカード型バッテリ１８を充電するためのカード型バッテリ用充電器を図４、図５に基いて説明する。
図４に示すように、カード型バッテリ用充電器４０の充電器本体４１の一側面には、カード型バッテリ１８を着脱自在に装着可能なスロット部４２が設けられている。
スロット部４２は、その内部に設けられたコネクタ（不図示）を介してカード型バッテリ１８のバッテリ２１へ給電を行うために利用される。
また、充電器本体４１のスロット部４２とは逆側の他側面には、電源であるＡＣ１００Ｖのコンセントと接続されるプラグ４３が設けられている。
【００３２】
図５は、カード型バッテリ用充電器４０の機能を示すブロック図である。
図５に示すように、カード型バッテリ用充電器４０は、変圧器５１、バッテリ制御部４４、書換え部４５、および、これらを統括的に制御するＣＰＵ４６等を有している。
変圧器５１は、電源４８からのＡＣ１００ＶをＤＣ５ＶまたはＤＣ１２Ｖなどに変圧するもので、カード型バッテリ１８のバッテリ２１は、電源４８からこの変圧器５１を介して充電される。
バッテリ制御部４４は、携帯電話機１と同様にバッテリ蓄電量検出部４７を有している。バッテリ制御部４４は、カード型バッテリ用充電器４０に装着されたカード型バッテリ１８への充電を制御するものである。
【００３３】
具体的には、例えば、カード型バッテリ１８のバッテリ２１がその蓄電容量を満たしていない場合は、電源４８からカード型バッテリ１８への充電を行う。また、蓄電容量を満たしている場合は、電源４８からカード型バッテリ１８への充電を中止する。
【００３４】
これらの制御は、バッテリ蓄電量検出部４７を介して行われる。また、バッテリ蓄電量検出部４７は、これによって検出されたカード型バッテリ１８の蓄電量の値を示すデータをＣＰＵ４６に送信する。そして、ＣＰＵ４６は、この蓄電量の値を示すデータを携帯電話機１と同様な書換え部４５へ送信する。
書換え部４５は、上述したように、ＣＰＵ４６からのデータに基いてカード型バッテリ１８の表示部２３に蓄電量アイコン３３を書込んだり、書換えしたりするものである。
【００３５】
したがって、上述の実施形態によれば、携帯電話機１、または、カード型バッテリ用充電器４０に装着されたカード型バッテリ１８を脱着すれば、カード型バッテリ１８の表示部２３にその脱着時点での蓄電量が確認できる蓄電量アイコン３３が表示されることとなる。
このため、例えば、利用者が複数個のカード型バッテリ１８を所持する場合、携帯電話機１、または、カード型バッテリ用充電器４０に装着するに先立って、それぞれの蓄電量を確認することができる。よって、蓄電量が十分なカード型バッテリ１８を容易に選択することが可能となる。したがって、携帯電話機１に装着することで表示部７のアイコン表示領域１０に表示される蓄電量アイコン１１を確認する必要がなくなる。
【００３６】
尚、本発明は上述した実施形態に限られるものではなく、携帯電話機１の第一筐体２の一側面であって、基端部４ａ寄りに、カード型バッテリ１８を着脱自在に装着可能なスロット部１９，１９が二箇所設けられた場合について説明したが、スロット部は一箇所、または、複数個設けてもよい。
また、スロット部の設置箇所は、第一筐体２の一側面に限らず、スロット部が設置可能な箇所であれば、その何れかであってもよい。
【００３７】
さらに、本発明は、カード型バッテリ１８が携帯電話機１に装着された状態において、カード型バッテリ１８全体が携帯電話機１のスロット部１９，１９に収納される場合について説明したが、図６に示すように、カード型バッテリ１８が携帯電話機１に装着された状態において、表示部２３が第一筐体２から露出した状態で装着されてもよい。
この場合、カード型バッテリ１８を携帯電話機１に装着した時点でのカード型バッテリ１８の蓄電量が常に確認できる状態である。このため、利用者が携帯電話機１の使用可能時間を意識しながら使用することができ、カード型バッテリ１８の管理がし易くなる。
【００３８】
尚、この場合、カード型バッテリ１８を携帯電話機１から脱着する際に、カード型バッテリ１８を一度携帯電話機１に向かって押し込んだ後、脱着するようになっている。
このようにすることで、カード型バッテリ１８を携帯電話機１に向かって押し込んだ際にカード型バッテリ１８の表示部２３の蓄電量アイコン３３が書換えられるようになっている。このため、カード型バッテリ１８の表示部２３には、その脱着時における蓄電量が表示部２３に表示され、カード型バッテリ１８の蓄電量を確認することができるようになっている。
【００３９】
また、図７に示すように、カード型バッテリ１８が携帯電話機１に装着された状態において、カード型バッテリ１８全体が携帯電話機１の内部に収納された場合に、携帯電話機１のカード型バッテリ１８の表示部２３に対応する部分に窓部５０を設けてもよい。
この場合もカード型バッテリ１８の表示部２３が第一筐体２から露出した状態で装着された場合（図６参照）と同様の効果を奏することができる。
【図面の簡単な説明】
【００４０】
【図１】本発明の実施形態における折り畳み式携帯電話機の斜視図である。
【図２】本発明の実施形態におけるカード型バッテリの平面図である。
【図３】本発明の実施形態における折り畳み式携帯電話機の機能を示すブロック図である。
【図４】本発明の実施形態におけるカード型バッテリ用充電器の斜視図である。
【図５】本発明の実施形態におけるカード型バッテリ用充電器の機能を示すブロック図である。
【図６】本発明の実施形態における折り畳み式携帯電話機にカード型バッテリを装着した斜視図である。
【図７】本発明の実施形態における折り畳み式携帯電話機にカード型バッテリを装着した斜視図である。
【符号の説明】
【００４１】
１…携帯電話機  （電子機器）、２…第一筐体、３…第二筐体、７…表示部、１０…アイコン表示領域、１１…蓄電量アイコン、１８…カード型バッテリ（カード型バッテリ装置）、１９…スロット部、２０…カード型バッテリ本体（カード型バッテリ装置本体）、２１…バッテリ、２３…表示部、２８…書換え部、２９…ＣＰＵ、３１…バッテリ蓄電量検出部（検出部）、３３…蓄電量アイコン、４０…カード型バッテリ用充電器（電子機器）、４１…充電器本体（充電部）、４２…スロット部、４５…書換え部、４６…ＣＰＵ、４７…バッテリ蓄電量検出部（検出部）、５０…窓部
【図１】
2007227213.tif 000003
【図２】
2007227213.tif 000004
【図３】
2007227213.tif 000005
【図４】
2007227213.tif 000006
【図５】
2007227213.tif 000007
【図６】
2007227213.tif 000008
【図７】
2007227213.tif 000009